(57)【要約】  本発明は、車両用空調システムであって、空気が通ることができ、かつ、空調される領域（１８、２０）に延在する第１エアダクト（１２）および少なくとも１つの第２エアダクト（１４）に接続される熱交換器（１０）を備える、空調システムに関する。第１エアダクト（１２）には第１ファン（２４）が割り当てられ、第２エアダクト（１４）には第２ファン（２６）が割り当てられる。第１ファン（２４）および第２ファン（２６）は、空調される領域（１８、２０）に空気を送出するように熱交換器（１０）から放出される空気を吸い込むように設計される。
2008544890.tif 000002
【特許請求の範囲】
【請求項１】
空気が通り抜けることができ、かつ、車両の空調される領域（１８、２０）に通じる第１エアダクト（１２）と少なくとも１つの第２エアダクト（１４）とに接続される熱交換器（１０）を有する車両用空調システムであって、
前記第１エアダクト（１２）に第１ファン（２４）が割り当てられ、前記第２エアダクト（１４）に第２ファン（２６）が割り当てられ、前記第１ファン（２４）および前記第２ファン（２６）が、前記車両の空調される領域（１８、２０）に空気を供給するために前記熱交換器（１０）から出てくる空気を吸い込むように設計されることを特徴とする、空調システム。
【請求項２】
前記第１ファン（２４）が、前記第１エアダクト（３２）の吹出し口領域（３０）に配置されることを特徴とする、請求項１に記載の空調システム。
【請求項３】
前記第２ファン（２６）が、前記第２エアダクト（３２）の吹出し口領域（３０）に配置されることを特徴とする、請求項１または２に記載の空調システム。
【請求項４】
前記熱交換器（１０）に追加ファン（３６）が割り当てられることを特徴とする、請求項１〜３のいずれか一項に記載の空調システム。
【請求項５】
前記ファン（２４、２６、３６）のうちの少なくとも１つの空気供給量を調整することができることを特徴とする、請求項１〜４のいずれか一項に記載の空調システム。
【請求項６】
前記第１ファン（２４）の空気供給量を、前記第１エアダクト（１２）が通じる前記車両の空調される領域（１８）における温度に応じて調整することができることを特徴とする、請求項１〜５のいずれか一項に記載の空調システム。
【請求項７】
前記第２ファン（２６）の空気供給量を、前記第２エアダクト（１４）が通じる前記車両の空調される領域（２０）における温度に応じて調整することができることを特徴とする、請求項１〜６のいずれか一項に記載の空調システム。
【請求項８】
前記熱交換器（１０）が、そこを流れる空気を加熱しかつ／または冷却するように設計されることを特徴とする、請求項１〜７のいずれか一項に記載の空調システム。
【請求項９】
前記第１エアダクト（１２）が通じる前記空調される領域（１８）が、前記第２エアダクト（１４）が通じる前記空調される領域（２０）から構造的に分離していることを特徴とする、請求項１〜８のいずれか一項に記載の空調システム。
【発明の詳細な説明】
【技術分野】
【０００１】
本発明は、車両用空調システムであって、空気が通り抜けることができ、かつ、車両の空調される領域に通じる第１エアダクトと少なくとも１つの第２エアダクトとに接続される熱交換器を有する、車両用空調システムに関する。
【背景技術】
【０００２】
自動車に提供される上記タイプの空調システムは、たとえば特許文献１から既知であり、それは、今日標準的な空調システムの典型的な構造を示す。ここでは、ファンの排気側に、空気を供給する少なくとも１つの熱交換器が配置され、その空気は、複数のエアダクトを介して車両内部空間の種々の領域に供給される。エアダクトの少なくともいくつかの吹出し口領域には、従来、それぞれの空気吹出し口が割り当てられる乗員の要望に応じて、空気が完全にまたは部分的に流出しないようにすることができる装置が設けられる。空気吹出し口が乗員によって完全にまたは部分的に閉鎖されると、中央ファンによって供給される空気がそれぞれのエアダクトで蓄積することになる。
【特許文献１】独国特許出願公開第１９５  ３９  ５１７  Ａ１号明細書
【発明の開示】
【発明が解決しようとする課題】
【０００３】
既知の一般的な空調システムの欠点は、空気吹出し口を部分的にまたは完全に閉鎖する装置は、ファンが作動しているにも関わらず空気が完全にまたは部分的に出てこないようにすることができるように堅固な構造でなければならない、ということである。さらに、空気吹出し口が閉鎖されることで、中央ファンによって供給される空気が蓄積することにより、エネルギー損失がもたらされる。
【０００４】
本発明の目的は、従来技術の上述した欠点をなくすことである。
【課題を解決するための手段】
【０００５】
上記目的は、請求項１の特徴によって達成される。
【０００６】
本発明の有利な改良および実施形態を独立項から収集することができる。
【０００７】
本発明による空調システムは、一般的な従来技術に基づき、第１エアダクトに第１ファンが割り当てられ、第２エアダクトに第２ファンが割り当てられ、第１ファンおよび第２ファンは、車両の空調される領域に空気を供給するために熱交換器から出てくる空気を吸い込むように設計される。ここで、車両は、すべてのタイプの陸上または海上輸送手段、特に自動車、キャンピングカーまたはボートを意味するものと理解されるべきである。本発明による解決法により、空気は、熱交換器を通してそれぞれのファンによって吸い込まれる。車両乗員が給気を望まない場合、それぞれのエアダクトに割り当てられるファンを、たとえば単に遮断することができる。それにより、空気が蓄積しないようにすることができる。また、空気が完全にまたは部分的に流出しないようにすることができる装置を不要にすることも可能である。
【０００８】
本発明による空調システムの好ましい実施形態では、第１ファンは第１エアダクトの吹出し口領域に配置され、第２ファンは第２エアダクトの吹出し口領域に配置される。上記解決法は、第１に、通常、吹出し口領域においてファンにより多くの設置空間が利用可能であるため、第２に、ファンを単に吸込み動作に対して最適化することができるため、特に有利である。
【０００９】
本発明による空調システムの少なくともいくつかの実施形態では、熱交換器に追加ファンが割り当てられることも可能である。しかしながら、上記追加ファンは、空気をシステム内に押し流すためというよりむしろ、熱交換器に十分な新鮮な空気か、または車両の内部空間から吸い込まれる空気を供給するために提供されることが好ましい。
【００１０】
本発明の１つの有利な改良によれば、ファンのうちの少なくとも１つの空気供給量を調整することができる。もっとも単純な場合、ファンの調整を、たとえばそれぞれの乗員によって操作されるポテンショメータによって行うことができる。
【００１１】
しかしながら、第１ファンの空気供給量を、第１エアダクトが通じる車両の空調される領域における温度に応じて調整することができ、かつ第２ファンの空気供給量を、第２エアダクトが通じる車両の空調される領域における温度に応じて調整することができることが好ましい。この目的のために、車両の空調される領域のうちの１つまたは複数に、それぞれのファンを駆動するコントローラに接続される温度センサを割り当てることができる。したがって、複数の閉調整回路を形成することが可能であり、それぞれの乗員がそれぞれの公称温度を、操作ボタンを用いて事前に定めることが可能である。
【００１２】
本発明による空調システムでは、熱交換器は、そこを流れる空気を加熱しかつ／または冷却するように設計されることが好ましい。ここで、熱交換器を、並列または直列に配置される複数の部分熱交換器によって形成することも可能であり、それらのうちのたとえば１つの部分熱交換器は加熱するために設けられ、別の部分熱交換器は冷却するために設けられる。
【００１３】
本発明を、第１エアダクトが通じる空調される領域が、第２エアダクトが通じる空調される領域から構造的に分離しているものとする場合に特に有利に使用することができる。たとえば、第１エアダクトを、車両内部空間の前面領域に割り当てることができ、第２エアダクトを、車両の後方領域に割り当てることができる。実用車では、たとえば１つのエアダクトが運転手のキャビンに通じ、１つのエアダクトがスリーピングキャビンに通じる。
【００１４】
本発明の中心の概念は、空気がもはや従来のようにシステム内に押し流されることがなく、システムを通して吸い込まれるということである。
【００１５】
本発明による空調システムの好ましい一実施形態について、図面に基づいて以下の例を用いて説明する。
【発明を実施するための最良の形態】
【００１６】
図示する空調システムは、少なくとも空気を調和するために必要な必須の部品を備える小型空調モジュール３８を有する。小型空調モジュール３８は、冷却用および加熱用の両方に対して提供され、上記部品は、特に圧縮器と、少なくとも部分的に熱交換器を形成することができる蒸発器と、凝縮器と、を含むことができる。さらに、熱交換器を、調和される空気を加熱するために車両の冷却回路に少なくとも部分的に接続することができる。当然ながら、電熱装置も考えられる。既に述べたように、「熱交換器」という用語はまた、本関係では、複数の部分熱交換器が提供される解決法も含むべきである。小型空調モジュール３８は、熱交換器１０に加えて、第１エアダクト１２、第２エアダクト１４および第３エアダクト１６が接続される空気分配器４０を有する。第１エアダクト１２は、空調される第１領域１８に通じ、第２エアダクト１４は、空調される第２領域２０に通じ、第３エアダクト１６は、空調される第３領域２２に通じる。第１エアダクト１２の吹出し口領域３０には第１ファン２４が設けられ、第２エアダクト１４の吹出し口領域３２には第２ファン２６が設けられ、第３エアダクト１６の吹出し口領域３４には第３ファン２８が設けられる。本発明の文脈では厳密に必要ではないが、小型空調モジュール３８は、熱交換器１０に十分な新鮮な空気および／または再循環空気（内部空間から吸い込まれた空気）を供給するために、熱交換器１０の上流に配置される追加ファン３６を備える。空調される第１領域１８には、第１操作ユニット４４が割り当てられ、空調される第２領域２０には、第２操作ユニット４６が割り当てられ、空調される第３領域２２には、第３操作ユニット４８が割り当てられる。第１操作ユニット４４は、空調される第１領域１８に対する公称温度を事前に定めるために用いることができる第１操作ボタン５０と、選択された公称温度が表示される第１ディスプレイ５６と、空調される第１領域１８の温度を測定する第１温度センサ６２と、を備える。第２操作ユニット４６は、空調される第２領域２０に対する公称温度を事前に定めるために用いることができる第２操作ボタン５２と、選択された公称温度が表示される第２ディスプレイ５８と、空調される第２領域２０の温度を測定する第２温度センサ６４と、を備える。第３操作ユニット４８は、空調される第３領域２２に対する公称温度を事前に定めるために用いることができる第３操作ボタン５４と、選択された公称温度が表示される第３ディスプレイ６０と、空調される第３領域２２の温度を測定する第３温度センサ６６と、を備える。図示する実施形態では、電線（図示せず）によって操作ユニット４４、４６、４８に接続される中央コントローラ４２が設けられる。コントローラ４２は、特にファン２４、２６、２８および３６の回転速度を、特にそれぞれの温度公称値および実際の値の関数として調整する。しかしながら、さらに、コントローラ４２はまた、空調システムのさらなる部品をモニタしかつ／または起動することも可能である。しかしながら、複数のローカルコントローラを、たとえば各操作ユニットにコントローラが割り当てられるように提供することも同様に考えられる。図示する実施形態では、互いに独立して動作させることができる３つの温度調整回路が、空調される各領域に対して１つ形成される。空気が少なくとも大部分システムを通して吸い込まれるという事実のため、背圧はまったく生成されないか、または少なくともわずかな背圧しか生成されない。さらに、理想的な場合、空気吹出し口において空気が完全にまたは部分的に流出しないようにすることができる装置を不要にすることも可能である。かかる装置が提供されるとしても、その装置は少なくとも非常に単純な構造であり得る。
【００１７】
上記説明、図面および特許請求の範囲において開示した本発明の特徴は、個々にかつ任意の所望の組合せで本発明の具現化に必須であり得る。
【図面の簡単な説明】
【００１８】
【図１】本発明による空調システムの一実施形態の概略図である。
【符号の説明】
【００１９】
１０‥熱交換器、１２‥第１エアダクト、１４‥第２エアダクト、１６‥第３エアダクト、１８‥空調される第１領域、２０‥空調される第２領域、２２‥空調される第３領域、２４‥第１ファン、２６‥第２ファン、２８‥第３ファン、３０‥第１エアダクトの吹出し口領域、３２‥第２エアダクトの吹出し口領域、３４‥第３エアダクトの吹出し口領域、３６‥追加ファン、３８‥小型空調モジュール、４０‥空気分配器、４２‥コントローラ、４４‥第１操作ユニット、４６‥第２操作ユニット、４８‥第３操作ユニット、５０‥第１操作ボタン、５２‥第２操作ボタン、５４‥第３操作ボタン、５６‥第１ディスプレイ、５８‥第２ディスプレイ、６０‥第３ディスプレイ、６２‥第１温度センサ、６４‥第２温度センサ、６６‥第３温度センサ
【図１】
2008544890.tif 000003
【国際調査報告】
2008544890.tif 000004
2008544890.tif 000005
2008544890.tif 000006
2008544890.tif 000007